【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
外部装置から印刷データを含む印刷ジョブを受信する印刷装置であって、
メモリに記憶された指示を実行する処理部を含む制御手段を備え、
前記制御手段は、
前記外部装置から印刷データを含む印刷ジョブを受信する受信部と、
印刷データの種類を判定する判定部と、
前記印刷データの処理の状態を前記外部装置に通知する通知部と、
を含み、
前記通知部は、
前記印刷データを登録して、前記印刷データの登録後にユーザからの印刷指示により前記印刷データに基づき画像形成を開始することができ、および、少なくとも印刷ジョブの登録と印刷ジョブの登録用に使用された印刷データの種類が前記印刷データの登録後のユーザからの印刷指示により前記印刷データに基づき画像形成を開始するために認証情報が必要であることを示すセキュア印刷設定を有するセキュア印刷データであることを示す判定結果の取得の完了により、印刷が行われていない印刷待ち状態にある前記印刷ジョブの一時停止を示す第１の処理の状態を前記外部装置に通知することができ、
前記印刷データを登録して、前記印刷データの登録後にユーザからの印刷指示により前記印刷データに基づき画像形成を開始することができ、および、少なくとも印刷ジョブの登録と印刷ジョブの登録用に使用された印刷データの種類がセキュア印刷データでないことを示す判定結果の取得の完了により、印刷が行われていない印刷待ち状態にある前記印刷ジョブの一時停止を示す第２の処理の状態を前記外部装置に通知することができる
ことを特徴とする印刷装置。
【請求項２】
前記第１の処理の状態は、前記印刷ジョブの処理の一時停止を示す処理の状態である
ことを特徴とする請求項１に記載の印刷装置。
【請求項３】
前記第１の処理の状態は、画像形成を停止する前記外部装置からの指示を受信した場合、画像形成を停止することができる処理の状態であり、前記第２の処理の状態は、画像形成を停止する前記外部装置からの指示を受信した場合、画像形成を停止することができない処理の状態である
ことを特徴とする請求項１又は２に記載の印刷装置。
【請求項４】
前記通知部は、パスワードを含む前記認証情報が前記外部装置から受信した前記印刷データに含まれる場合、前記セキュア印刷設定を有する前記印刷データを判定する
ことを特徴とする請求項１乃至３のいずれか１項に記載の印刷装置。
【請求項５】
前記通知部は、画像形成を停止する指示を前記外部装置から受信した場合、前記印刷データの登録を削除する
ことを特徴とする請求項３に記載の印刷装置。
【請求項６】
前記通知部は、前記外部装置から受信した前記印刷データとして前記印刷データを識別できる識別情報を割り当て、前記処理の状態に共に前記識別情報を前記外部装置に通知し、
前記セキュア印刷設定を有する前記印刷ジョブの印刷データについて、前記受信した際に割り当てられた前記識別情報は、特定の印刷データに基づく画像形成が完了するまで継続して使用される
ことを特徴とする請求項１乃至５のいずれか１項に記載の印刷装置。
【請求項７】
前記通知部は、前記セキュア印刷設定を有する前記印刷ジョブの前記印刷データに基づく画像形成が完了する場合、前記印刷ジョブの完了を前記外部装置に通知する
ことを特徴とする請求項１乃至６のいずれか１項に記載の印刷装置。
【請求項８】
前記通知部は、前記セキュア印刷設定を有する前記印刷ジョブの前記印刷データについて、特定の印刷データに基づく画像形成が完了した場合、前記印刷データを削除する
ことを特徴とする請求項１乃至７のいずれか１項に記載の印刷装置。
【請求項９】
前記通知部は、少なくとも前記印刷データの通信用の特定のプロトコルの使用に基づき前記第２の処理の状態を前記外部装置に通知する
ことを特徴とする請求項１乃至８のいずれか１項に記載の印刷装置。
【請求項１０】
前記通知部は、前記印刷ジョブの送受信に使用されたプリントアプリケーションの種類に基づき前記第２の処理の状態を前記外部装置に通知する
ことを特徴とする請求項９に記載の印刷装置。
【請求項１１】
前記印刷ジョブが前記印刷ジョブの登録後に監視される設定を有することを条件として、前記通知部は、前記印刷データの前記処理の状態を前記外部装置に通知し、前記印刷データを登録して、前記印刷データの登録後にユーザからの印刷指示により前記印刷データに基づき画像形成を開始することができ、および、前記セキュア印刷設定を有する前記印刷ジョブの登録の完了により前記印刷ジョブの一時停止を示す前記第１の処理の状態を前記外部装置に通知することができる
ことを特徴とする請求項９に記載の印刷装置。
【請求項１２】
外部装置から印刷データを含む印刷ジョブを受信する印刷装置の制御方法であって、
印刷データの種類を判定する判定ステップと、
前記印刷データの処理の状態を前記外部装置に通知する通知ステップと、
を有し、
前記印刷データは登録されて、前記印刷データの登録後に、ユーザからの印刷指示により前記印刷データに基づき画像形成を開始することができるようにされ、前記外部装置は、少なくとも印刷ジョブの登録と印刷ジョブの登録用に使用された印刷データの種類がセキュア印刷データであることを示す判定結果の取得の完了により、印刷が行われていない印刷待ち状態にある前記印刷ジョブの一時停止を示す第１の処理の状態を通知され、前記セキュア印刷データは、前記印刷データの登録後のユーザからの印刷指示により前記印刷データに基づき画像形成を開始するために認証情報が必要であることを示すセキュア印刷設定を有し、
前記印刷データは登録されて、前記印刷データの登録後にユーザからの印刷指示により前記印刷データに基づき画像形成を開始することができるようにされ、前記外部装置は、少なくとも印刷ジョブの登録と印刷ジョブの登録用に使用された印刷データの種類がセキュア印刷データでないことを示す判定結果の取得の完了により、印刷が行われていない印刷待ち状態にある前記印刷ジョブの一時停止を示す第２の処理中状態を通知される
ことを特徴とする制御方法。
【請求項１３】
コンピュータを、請求項１乃至１１のいずれか１項に記載の印刷装置として機能させるためのプログラム。
【手続補正２】
【補正対象書類名】明細書
【補正対象項目名】０００８
【補正方法】変更
【補正の内容】
【０００８】
本発明は、外部装置から印刷データを含む印刷ジョブを受信する印刷装置であって、メモリに記憶された指示を実行する処理部を含む制御手段を備え、前記制御手段は、前記外部装置から印刷データを含む印刷ジョブを受信する受信部と、印刷データの種類を判定する判定部と、前記印刷データの処理の状態を前記外部装置に通知する通知部と、を含み、前記通知部は、前記印刷データを登録して、前記印刷データの登録後にユーザからの印刷指示により前記印刷データに基づき画像形成を開始することができ、および、少なくとも印刷ジョブの登録と印刷ジョブの登録用に使用された印刷データの種類が前記印刷データの登録後のユーザからの印刷指示により前記印刷データに基づき画像形成を開始するために認証情報が必要であることを示すセキュア印刷設定を有するセキュア印刷データであることを示す判定結果の取得の完了により、印刷が行われていない印刷待ち状態にある前記印刷ジョブの一時停止を示す第１の処理の状態を前記外部装置に通知することができ、前記印刷データを登録して、前記印刷データの登録後にユーザからの印刷指示により前記印刷データに基づき画像形成を開始することができ、および、少なくとも印刷ジョブの登録と印刷ジョブの登録用に使用された印刷データの種類がセキュア印刷データでないことを示す判定結果の取得の完了により、印刷が行われていない印刷待ち状態にある前記印刷ジョブの一時停止を示す第２の処理の状態を前記外部装置に通知することができることを特徴とする。